(57)【要約】【課題】加湿ローラーにおいて用紙が巻き付くジャムが発生した場合でも用紙を破損させることなくジャムを解消すること。【解決手段】加湿装置は、用紙を加湿する加湿ローラー対と、用紙の搬送方向における加湿ローラーの上流側または下流側に配置された搬送ローラー対と、加湿ローラー対に対する用紙の巻き付きを検出する巻き付き検出部と、巻き付き検出部により用紙の巻き付きが検出された場合、用紙が破断せず、かつ、加湿ローラー対に対する用紙の巻き付きが解消するように、加湿ローラー対及び加湿ローラー対を回転させる制御を行う制御部と、を備える。【選択図】図３
2019099289.tif 000002
【特許請求の範囲】
【請求項１】
用紙を加湿する加湿ローラー対と、
前記用紙の搬送方向における前記加湿ローラーの上流側または下流側に配置された搬送ローラー対と、
前記加湿ローラー対に対する前記用紙の巻き付きを検出する巻き付き検出部と、
前記巻き付き検出部により前記用紙の巻き付きが検出された場合、前記用紙が破断せず、かつ、前記加湿ローラー対に対する前記用紙の巻き付きが解消するように、前記加湿ローラー対及び前記加湿ローラー対を回転させる制御を行う制御部と、
を備える加湿装置。
【請求項２】
前記制御部は、前記加湿ローラー対及び前記搬送ローラー対を同じタイミングで回転させ、前記加湿ローラー対の回転速度を、前記搬送ローラー対の回転速度よりも速く設定する、
請求項１に記載の加湿装置。
【請求項３】
前記制御部は、前記加湿ローラー対の回転開始タイミングを、前記搬送ローラー対の回転開始タイミングよりも早く設定する、
請求項１に記載の加湿装置。
【請求項４】
前記巻き付き検出部は、さらに、前記加湿ローラー対に対する前記用紙の巻き付き量を検出し、
前記制御部は、少なくとも、前記巻き付き量に相当する距離だけ前記用紙を搬送するように、前記加湿ローラー対及び前記搬送ローラー対を回転させる、
請求項１に記載の加湿装置。
【請求項５】
前記制御部は、少なくとも、前記用紙の全体が前記加湿ローラー対を抜けるまで、前記加湿ローラー対及び前記搬送ローラー対を回転させる、
請求項１に記載の加湿装置。
【請求項６】
前記制御部は、前記用紙の先端部分が前記下流に配置された搬送ローラー対を通過していない場合、前記加湿ローラー対及び前記上流に配置された搬送ローラー対をそれぞれ逆転させることにより、前記用紙を上流側に搬送させる、
請求項１に記載の加湿装置。
【請求項７】
前記制御部は、前記用紙の先端部分が前記下流に配置された搬送ローラー対を通過している場合、前記加湿ローラー対及び前記下流に配置された搬送ローラー対をそれぞれ正転させることにより、前記用紙を下流側に搬送させる、
請求項１に記載の加湿装置。
【請求項８】
前記巻き付き検出部は、さらに、前記加湿ローラー対に対する前記用紙の巻き付き量を検出し、
前記制御部は、前記巻き付き量が大きい場合、前記巻き付き量が小さくなるまで前記加湿ローラー対を逆転させた後に、前記加湿ローラー対及び前記搬送ローラー対を正転させて、前記用紙を下流側に搬送させる、
請求項７に記載の加湿装置。
【請求項９】
用紙を加湿する加湿ローラー対と、
前記用紙の搬送方向における前記加湿ローラーの上流側または下流側に配置された搬送ローラー対と、
前記加湿ローラー対に対する前記用紙の巻き付きを検出する巻き付き検出部と、
前記巻き付き検出部により前記用紙の巻き付きが検出された場合、前記用紙が破断せず、かつ、前記加湿ローラー対に対する前記用紙の巻き付きが解消するように、前記加湿ローラー対及び前記加湿ローラー対を回転させる制御を行う制御部と、
を備える画像形成装置。
【請求項１０】
画像形成装置を含む複数のユニットで構成される画像形成システムであって、
用紙を加湿する加湿ローラー対と、
前記用紙の搬送方向における前記加湿ローラーの上流側または下流側に配置された搬送ローラー対と、
前記加湿ローラー対に対する前記用紙の巻き付きを検出する巻き付き検出部と、
前記巻き付き検出部により前記用紙の巻き付きが検出された場合、前記用紙が破断せず、かつ、前記加湿ローラー対に対する前記用紙の巻き付きが解消するように、前記加湿ローラー対及び前記加湿ローラー対を回転させる制御を行う制御部と、
を備える画像形成システム。
【請求項１１】
用紙を加湿する加湿ローラー対と、前記用紙の搬送方向における前記加湿ローラーの上流側または下流側に配置された搬送ローラー対と、を備える加湿装置における用紙搬送制御方法であって、
前記加湿ローラー対に対する前記用紙の巻き付きを検出し、
前記用紙の巻き付きが検出された場合、前記用紙が破断せず、かつ、前記加湿ローラー対に対する前記用紙の巻き付きが解消するように、前記加湿ローラー対及び前記加湿ローラー対を回転させる制御を行う、
用紙搬送制御方法。
【発明の詳細な説明】
【技術分野】
【０００１】
本発明は、加湿装置、画像形成装置、画像形成システムおよび用紙搬送制御方法に関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体ドラム（像担持体）へ現像装置よりトナーを供給することにより静電潜像を可視化してトナー像を形成する。さらに、このトナー像を直接または間接的に用紙に転写させた後、定着ニップで加熱、加圧して定着させることにより用紙にトナー像を形成する。
【０００３】
このような画像形成装置では、定着ニップで加熱処理することにより、用紙が水分を奪われるので、用紙に加湿する処理を施す加湿装置が設けられる場合がある（例えば、特許文献１参照）。特許文献１に記載の加湿装置は、用紙を加湿する加湿ローラーを有している。
【先行技術文献】
【特許文献】
【０００４】
【特許文献１】特開２０１５−１５８６６４号公報
【発明の概要】
【発明が解決しようとする課題】
【０００５】
しかしながら、加湿ローラーに用紙が巻き付く（貼り付く）ジャムが発生した場合、用紙が必要以上に加湿されてしまい、加湿ローラーから供給される水分によって用紙の腰（強度）が弱くなり、ジャム処理において用紙が破断しやすくなるという問題が生じる。
【０００６】
本発明の目的は、加湿ローラーにおいて用紙が巻き付くジャムが発生した場合でも用紙を破断させることなくジャムを解消できる加湿装置、画像形成装置、画像形成システムおよび用紙搬送制御方法を提供することである。
【課題を解決するための手段】
【０００７】
本発明に係る加湿装置は、
用紙を加湿する加湿ローラー対と、
前記用紙の搬送方向における前記加湿ローラーの上流側または下流側に配置された搬送ローラー対と、
前記加湿ローラー対に対する前記用紙の巻き付きを検出する巻き付き検出部と、
前記巻き付き検出部により前記用紙の巻き付きが検出された場合、前記用紙が破断せず、かつ、前記加湿ローラー対に対する前記用紙の巻き付きが解消するように、前記加湿ローラー対及び前記加湿ローラー対を回転させる制御を行う制御部と、
を備える。
【０００８】
本発明に係る画像形成装置は、
用紙を加湿する加湿ローラー対と、
前記用紙の搬送方向における前記加湿ローラーの上流側または下流側に配置された搬送ローラー対と、
前記加湿ローラー対に対する前記用紙の巻き付きを検出する巻き付き検出部と、
前記巻き付き検出部により前記用紙の巻き付きが検出された場合、前記用紙が破断せず、かつ、前記加湿ローラー対に対する前記用紙の巻き付きが解消するように、前記加湿ローラー対及び前記加湿ローラー対を回転させる制御を行う制御部と、
を備える。
【０００９】
本発明に係る画像形成システムは、
画像形成装置を含む複数のユニットで構成される画像形成システムであって、
用紙を加湿する加湿ローラー対と、
前記用紙の搬送方向における前記加湿ローラーの上流側または下流側に配置された搬送ローラー対と、
前記加湿ローラー対に対する前記用紙の巻き付きを検出する巻き付き検出部と、
前記巻き付き検出部により前記用紙の巻き付きが検出された場合、前記用紙が破断せず、かつ、前記加湿ローラー対に対する前記用紙の巻き付きが解消するように、前記加湿ローラー対及び前記加湿ローラー対を回転させる制御を行う制御部と、
を備える。
【００１０】
本発明に係る用紙搬送制御方法は、
用紙を加湿する加湿ローラー対と、前記用紙の搬送方向における前記加湿ローラーの上流側または下流側に配置された搬送ローラー対と、を備える加湿装置における用紙搬送制御方法であって、
前記加湿ローラー対に対する前記用紙の巻き付きを検出し、
前記用紙の巻き付きが検出された場合、前記用紙が破断せず、かつ、前記加湿ローラー対に対する前記用紙の巻き付きが解消するように、前記加湿ローラー対及び前記加湿ローラー対を回転させる制御を行う。
【発明の効果】
【００１１】
本発明によれば、加湿ローラーにおいて用紙が巻き付くジャムが発生した場合でも用紙を破断させることなくジャムを解消できる。
【図面の簡単な説明】
【００１２】
【図１】一実施の形態に係る画像形成システムの全体構成を概略的に示す図である。
【図２】一実施の形態に係る画像形成システムが備える画像形成装置の制御系の主要部を示す図である。
【図３】一実施の形態に係る後処理装置の制御系の主要部を示す図である。
【図４】ケース１におけるジャム発生の一例を示す図である。
【図５Ａ】ケース１におけるジャム紙が破断するジャム処理の一例を示す図である。
【図５Ｂ】ケース１におけるジャム紙が破断するジャム処理の一例を示す図である。
【図５Ｃ】ケース１におけるジャム紙が破断するジャム処理の一例を示す図である。
【図６】一実施の形態のケース１に係るジャム処理の一例を示す図である。
【図７】ケース２におけるジャム発生の一例を示す図である。
【図８Ａ】ケース２におけるジャム紙が破断するジャム処理の一例を示す図である。
【図８Ｂ】ケース２におけるジャム紙が破断するジャム処理の一例を示す図である。
【図８Ｃ】ケース２におけるジャム紙が破断するジャム処理の一例を示す図である。
【図９】一実施の形態のケース２に係るジャム処理の一例を示す図である。
【図１０Ａ】一実施の形態のケース２に係るジャム処理の一部を示す図である。
【図１０Ｂ】一実施の形態のケース２に係るジャム処理の一部を示す図である。
【図１０Ｃ】一実施の形態のケース２に係るジャム処理の一部を示す図である。
【図１１】一実施の形態に係るジャム処理の一例を示すフローチャートである。
【発明を実施するための形態】
【００１３】
以下、本実施の形態を図面に基づいて詳細に説明する。図１は、本実施の形態に係る画像形成システム１００の全体構成を概略的に示す図である。図２は、本実施の形態に係る画像形成システム１００が備える画像形成装置１の制御系の主要部を示す図である。
【００１４】
画像形成システム１００は、図１において用紙Ｓを記録媒体として使用し、用紙Ｓ上に画像を形成するシステムである。
【００１５】
図１に示すように、画像形成システム１００は、用紙Ｓの搬送方向に沿って上流側から、画像形成装置１および後処理装置２（本発明の加湿装置）が接続されて構成される。
【００１６】
画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で４色のトナー像を重ね合わせた後、給紙トレイユニット５１ａ〜５１ｃから送出された用紙Ｓに二次転写することにより、画像を形成する。
【００１７】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１８】
図２に示すように、画像形成装置１は、画像読取部１０、操作表示部２０、画像処理部３０、画像形成部４０、用紙搬送部５０、定着部６０および制御部１０１を備える。
【００１９】
制御部１０１は、ＣＰＵ（Central Processing Unit）１０２、ＲＯＭ（Read Only Memory）１０３、ＲＡＭ（Random Access Memory）１０４等を備える。ＣＰＵ１０２は、ＲＯＭ１０３から処理内容に応じたプログラムを読み出してＲＡＭ１０４に展開し、展開したプログラムと協働して画像形成装置１の各ブロック等の動作を集中制御する。このとき、記憶部７２に格納されている各種データが参照される。記憶部７２は、例えば不揮発性の半導体メモリ（いわゆるフラッシュメモリ）又はハードディスクドライブで構成される。
【００２０】
制御部１０１は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１０１は、例えば、外部の装置から送信された画像データ（入力画像データ）を受信し、この画像データに基づいて用紙Ｓに画像を形成させる。通信部７１は、例えばＬＡＮカード等の通信制御カードで構成される。
【００２１】
図１に示すように、画像読取部１０は、ＡＤＦ（Auto Document Feeder）と称される自動原稿給紙装置１１および原稿画像走査装置１２（スキャナー）等を備えて構成される。
【００２２】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００２３】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２４】
図２に示すように、操作表示部２０は、例えばタッチパネル付の液晶ディスプレイ（ＬＣＤ：Liquid Crystal Display）で構成され、表示部２１及び操作部２２として機能する。表示部２１は、制御部１０１から入力される表示制御信号に従って、各種操作画面、画像の状態、各機能の動作状況等の表示を行う。操作部２２は、テンキー、スタートキー等の各種操作キーを備え、ユーザーによる各種入力操作を受け付けて、操作信号を制御部１０１に出力する。
【００２５】
画像処理部３０は、入力画像データに対して、初期設定又はユーザー設定に応じたデジタル画像処理を行う回路等を備える。例えば、画像処理部３０は、制御部１０１の制御下で、階調補正データ（階調補正テーブル）に基づいて階調補正を行う。また、画像処理部３０は、入力画像データに対して、階調補正の他、色補正、シェーディング補正等の各種補正処理又は圧縮処理等を施す。これらの処理が施された画像データに基づいて、画像形成部４０が制御される。
【００２６】
図１に示すように、画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２７】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２８】
画像形成ユニット４１は、露光装置４１１、現像装置４１２、感光体ドラム４１３、帯電装置４１４、及びドラムクリーニング装置４１５等を備える。
【００２９】
感光体ドラム４１３は、例えばドラム状の金属基体の外周面に、有機光導電体を含有させた樹脂よりなる感光層が形成された有機感光体よりなる。
【００３０】
制御部１０１は、感光体ドラム４１３を回転させる駆動モーター（図示略）に供給される駆動電流を制御することにより、感光体ドラム４１３を一定の周速度で回転させる。
【００３１】
帯電装置４１４は、例えば帯電チャージャーであり、コロナ放電を発生させることにより、光導電性を有する感光体ドラム４１３の表面を一様に負極性に帯電させる。
【００３２】
露光装置４１１は、例えば半導体レーザーで構成され、感光体ドラム４１３に対して各色成分の画像に対応するレーザー光を照射する。その結果、感光体ドラム４１３の表面のうちレーザー光が照射された画像領域には、背景領域との電位差により各色成分の静電潜像が形成される。
【００３３】
現像装置４１２は、二成分逆転方式の現像装置であり、感光体ドラム４１３の表面に各色成分の現像剤を付着させることにより静電潜像を可視化してトナー像を形成する。
【００３４】
現像装置４１２には、例えば帯電装置４１４の帯電極性と同極性の直流現像バイアス、または交流電圧に帯電装置４１４の帯電極性と同極性の直流電圧が重畳された現像バイアスが印加される。その結果、露光装置４１１によって形成された静電潜像にトナーを付着させる反転現像が行われる。
【００３５】
ドラムクリーニング装置４１５は、感光体ドラム４１３の表面に当接され、弾性体よりなる平板状のドラムクリーニングブレード等を有し、中間転写ベルト４２１に転写されずに感光体ドラム４１３の表面に残留するトナーを除去する。
【００３６】
中間転写ユニット４２は、中間転写ベルト４２１、一次転写ローラー４２２、複数の支持ローラー４２３、二次転写ローラー４２４、及びベルトクリーニング装置４２６等を備える。
【００３７】
中間転写ベルト４２１は無端状ベルトで構成され、複数の支持ローラー４２３にループ状に張架される。複数の支持ローラー４２３のうちの少なくとも１つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３８】
中間転写ベルト４２１は、導電性および弾性を有するベルトであり、表面に高抵抗層を有する。中間転写ベルト４２１は、制御部１０１からの制御信号によって回転駆動される。
【００３９】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００４０】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００４１】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側、つまり一次転写ローラー４２２と当接する側にトナーと逆極性の電荷を付与することにより、トナー像は中間転写ベルト４２１に静電的に転写される。
【００４２】
その後、用紙Ｓが二次転写ニップを通過する際、中間転写ベルト４２１上のトナー像が用紙Ｓに二次転写される。具体的には、二次転写ローラー４２４に二次転写バイアスを印加し、用紙Ｓの裏面側、つまり二次転写ローラー４２４と当接する側にトナーと逆極性の電荷を付与することにより、トナー像は用紙Ｓに静電的に転写される。トナー像が転写された用紙Ｓは定着部６０に向けて搬送される。
【００４３】
ベルトクリーニング装置４２６は、二次転写後に中間転写ベルト４２１の表面に残留する転写残トナーを除去する。
【００４４】
定着部６０は、用紙Ｓの定着面、つまりトナー像が形成されている面側に配置される定着面側部材を有する上側定着部６０Ａ、用紙Ｓの裏面つまり定着面の反対の面側に配置される裏面側支持部材を有する下側定着部６０Ｂ、および加熱源等を備える。定着面側部材に裏面側支持部材が圧接されることにより、用紙Ｓを挟持して搬送する定着ニップが形成される。
【００４５】
定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。
【００４６】
用紙搬送部５０は、給紙部５１、排紙部５２、及び搬送経路部５３等を備える。給紙部５１を構成する３つの給紙トレイユニット５１ａ〜５１ｃには、坪量又はサイズ等に基づいて識別された用紙Ｓ（規格用紙、特殊用紙）が予め設定された種類毎に収容される。搬送経路部５３は、レジストローラー対５３ａを含む複数の搬送ローラー対を有する。レジストローラー対５３ａが配設されたレジストローラー部は、用紙Ｓの傾きおよび片寄りを補正する。
【００４７】
給紙トレイユニット５１ａ〜５１ｃに収容されている用紙Ｓは、最上部から一枚ずつ送出され、搬送経路部５３により画像形成部４０に搬送される。画像形成部４０においては、中間転写ベルト４２１のトナー像が用紙Ｓの一方の面に一括して二次転写され、定着部６０において定着工程が施される。画像形成された用紙Ｓは、排紙ローラー５２ａを備えた排紙部５２により後処理装置２に搬送される。
【００４８】
図３は、本実施の形態に係る画像形成システム１００が備える後処理装置２（本発明の「加湿装置」に対応）の制御系の主要部を示す図である。また、図４は、後述する加湿部２０５の周辺の構成を概略的に示す図である。なお、後処理装置２は、加湿装置の機能以外の他の機能を備えてもよい（図示せず）。
【００４９】
図１〜図４に示すように、後処理装置２は、制御部２０１、搬送ローラー駆動部２０２、搬送ローラー（搬送ローラー対）２０３ａ、２０３ｂ、ジャム検出部２０４、加湿部２０５を備えている。
【００５０】
後処理装置２において、画像形成装置１から搬送された用紙Ｓは、加湿部２０５を介して装置外に排紙される。
【００５１】
制御部２０１は、ＣＰＵ、ＲＯＭ、ＲＡＭ等を備え、後処理装置２の各ブロック等の動作を集中制御する。
【００５２】
搬送ローラー駆動部２０２は、制御部２０１の制御下で、搬送ローラー２０３ａ及び２０３ｂを含む複数の搬送ローラー対を駆動させる。
【００５３】
搬送ローラー２０３ａは、用紙Ｓの搬送方向における加湿部２０５（加湿ローラー２５３）の上流側に配置され、搬送ローラー駆動部２０２の制御下で駆動する。搬送ローラー２０３ｂは、用紙Ｓの搬送方向における加湿部２０５の下流側に配置され、搬送ローラー駆動部２０２の制御下で駆動する。なお、以下では、加湿部２０５との位置関係に基づいて、搬送ローラー２０３ａを「上流ローラー」と呼び、搬送ローラー２０３ｂを「下流ローラー」と呼ぶこともある。
【００５４】
ジャム検出部２０４は、例えば、後処理装置２の用紙Ｓの搬送経路（加湿部２０５を含む）に設置されるセンサー（図示せず）であり、搬送経路内における用紙Ｓジャムの発生を検出する。ジャム検出部２０４は、検出結果を制御部２０１に出力する。
【００５５】
加湿部２０５は、後処理装置２の用紙Ｓの搬送経路に設けられており、貯留部（図示せず）に貯留された液体を用いて、搬送される用紙Ｓに対して加湿処理を行う。図３及び図４に示すように、加湿部２０５は、加湿ローラー駆動部２５１と、巻き付き検出部２５２と、加湿ローラー（加湿ローラー対）２５３と、センサー２５４ａ、２５４ｂとを備えている。
【００５６】
加湿ローラー駆動部２５１は、制御部２０１の制御下で、加湿ローラー２５３を駆動させる。
【００５７】
巻き付き検出部２５２は、例えば、反射型センサー又は超音波センサー等のセンサーを備え、加湿ローラー２５３に対する用紙Ｓの巻き付き（貼り付き）状況（例えば、巻き付きの有無、又は、加湿ローラー２５３に対する用紙Ｓの巻き付き量）を検出する。例えば、巻き付き検出部２５２は、加湿ローラー２５３よりも上流側の搬送経路に配置されたセンサー２５４ａにおける用紙Ｓの検出結果、加湿ローラー２５３よりも下流側の搬送経路に配置されたセンサー２５４ｂの検出結果、加湿ローラー２５３の回転速度、及び、ジャム検出部２０４によって検出されたジャムの発生時間等に基づいて、加湿ローラー２５３への用紙Ｓの巻き付き量を測定してもよい。
【００５８】
なお、図４では、巻き付き検出部２５２（センサー）は、加湿ローラー２５３を構成する下側のローラーの下流側に設置されている。しかし、巻き付き検出部２５２が備えるセンサーの個数及び配置位置は、図４に示す例に限らない。巻き付き検出部２５２は、複数のセンサーを備えてもよい。また、巻き付き検出部２５２は、加湿ローラー２５３を構成する上側のローラー付近に設置されてもよく、加湿ローラー２５３の上流側に設置されてもよい。
【００５９】
一対の加湿ローラー２５３は、外周面が互いに接触しており、例えば、互いに接触する側とは反対側の外周面が給水ローラー（図示せず）に接触している。加湿ローラー２５３は、貯留部から供給される液体を保持する給水ローラーに接触することで、給水ローラーが保持した液体を外周面に保持する。そして、用紙Ｓは、一対の加湿ローラー２５３が互いに接触する加湿ニップを通過することで、加湿ローラー２５３が保持した液体により加湿される。
【００６０】
センサー２５４ａ、２５４ｂは、搬送経路を搬送される用紙Ｓの通過を検出する。制御部２０１は、例えば、センサー２５４ａ、２５４ｂにおける検出結果に基づいて、加湿部２０５における用紙の通過の状況、又は、加湿部２０５内に用紙Ｓが存在するか否かを判断してもよい。センサー２５４ａ、２５４ｂは、例えば、検出結果を制御部２０１又は巻き付き検出部２５２等に出力する。
【００６１】
以上、本実施の形態に係る画像形成システム１００の構成について説明した。
【００６２】
ところで、加湿部２０５において用紙Ｓへの加湿が行われると、用紙Ｓの撓みが生じる。用紙Ｓの撓みが増加すると、加湿ローラー２５３に用紙Ｓが巻き付いてジャムが発生しやすくなるという問題が生じる。
【００６３】
また、加湿部２０５の加湿ローラー２５３に挟持された状態でジャムが発生すると、用紙Ｓが必要以上に加湿されてしまい、加湿ローラー２５３から供給される水分によって用紙Ｓの腰（強度）が弱くなり、ジャム処理において用紙Ｓが破断しやすくなるという問題が生じる。
【００６４】
そこで、本実施の形態では、制御部２０１は、加湿ローラー２５３に用紙Ｓが巻き付いてジャムが発生した場合に、用紙Ｓを破断させることなく用紙Ｓ（ジャム紙）を取り出すジャム処理について説明する。
【００６５】
以下、一例として、加湿ローラー２５３に用紙Ｓが巻き付いて発生するジャムのケース１，２におけるジャム処理についてそれぞれ説明する。
【００６６】
＜ケース１＞
図４は、ケース１において加湿ローラー２５３にて発生するジャムの様子を示す図である。図４に示すように、ケース１では、用紙Ｓの先端部分が加湿ローラー２５３に巻き付いている。また、図４では、センサー２５４ｂにおいて用紙Ｓの通過は検知されていない。
【００６７】
ケース１において発生するジャムに対して、図５Ａ〜図５Ｃに示すジャム処理では、用紙Ｓを破断させてしまう恐れがある。
【００６８】
具体的には、図５Ａは、加湿ローラー２５３を正転（用紙Ｓを下流側へ搬送する回転）させ、用紙Ｓを下流側に搬送するジャム処理を示す。しかし、図５Ａに示すジャム処理が行われても、加湿ローラー２５３に巻き付いている用紙Ｓの先端部分が加湿ローラー２５３に貼り付いたまま剥がれない。更に、加湿ローラー２５３の正転によって用紙Ｓの後端側も加湿ローラー２５３に巻き付いてしまう。また、図５Ａに示すように、用紙Ｓにおいて加湿ローラー２５３に巻き付いている部分は腰が弱くなっているため、例えば、搬送ローラー２０３ａに後端部分が挟持されている用紙Ｓが、加湿ローラー２５３の正転によって破断してしまう恐れがある。
【００６９】
次に、図５Ｂは、加湿ローラー２５３を逆転（用紙Ｓを上流側へ搬送する回転）させ、用紙Ｓを上流側に搬送するジャム処理を示す。しかし、図５Ｂに示すジャム処理が行われても、加湿ローラー２５３に巻き付いている用紙Ｓの先端部分が加湿ローラー２５３に貼り付いたまま剥がれず、そのまま逆方向（上流方向）への巻き付きが発生してしまう。更に、図５Ｂに示すように、用紙Ｓにおいて加湿ローラー２５３に巻き付いている部分は腰が弱くなっているため、例えば、搬送ローラー２０３ａに後端部分が挟持されている用紙Ｓが、加湿ローラー２５３の逆転によって破断してしまう恐れがある。
【００７０】
次に、図５Ｃは、搬送ローラー２０３ａ（上流ローラー）を逆転させ、用紙Ｓを上流側に搬送するジャム処理を示す。しかし、加湿ローラー２５３に巻き付いている用紙Ｓの先端部分は、滑りにくくかつ腰が弱くなっているため、図５Ｃに示すジャム処理において、搬送ローラー２０３ａの逆転によって加湿ローラー２５３に巻き付いている用紙Ｓの先端部分を引き剥がそうとすると用紙Ｓが破断してしまう恐れがある。
【００７１】
このように、図５Ａ〜図５Ｃに示すジャム処理では、加湿ローラー２５３に巻き付いている用紙Ｓを破断させずに排紙することは困難である。
【００７２】
そこで、本実施の形態では、ケース１（図４を参照）において、制御部２０１は、例えば、図６に示すジャム処理を行う。
【００７３】
具体的には、巻き付き検出部２５２は、図４に示すような用紙Ｓの巻き付き（加湿ローラー２５３でのジャム）を検知する。また、巻き付き検出部２５２は、加湿ローラー２５３への用紙Ｓの巻き付き量を検出する。
【００７４】
そして、制御部２０１は、巻き付き検出部２５２において検出された加湿ローラー２５３への用紙Ｓの巻き付き量に基づいて、搬送ローラー２０３ａと加湿ローラー２５３とによる用紙Ｓの引っ張り合いによって用紙Ｓが破断せずに、かつ、加湿ローラー２５３に対する用紙Ｓの巻き付きが解消するように、加湿ローラー２５３及び搬送ローラー２０３ａを回転させる制御を行う。
【００７５】
具体的には、図６に示すように、用紙Ｓの先端部分が搬送ローラー２０３ｂを通過していないので、制御部２０１は、加湿ローラー２５３及び搬送ローラー２０３ａをそれぞれ逆転させることにより、用紙Ｓを上流側に搬送させる。例えば、制御部２０１は、少なくとも、巻き付き検出部２５２で検出された巻き付き量に相当する距離（つまり、巻き付きを解消する分）だけ用紙Ｓを上流側へ搬送するように、加湿ローラー２５３及び搬送ローラー２０３ａを逆転させる。
【００７６】
この際、制御部２０１は、用紙Ｓを破断させず、かつ、巻き付きを解消させるために、例えば、加湿ローラー２５３と搬送ローラー２０３ａとの間で回転速度差、又は、回転を開始する時間差（タイミング差）を付けてもよい。
【００７７】
具体的には、制御部２０１は、加湿ローラー２５３及び搬送ローラー２０３ａを同じタイミングで逆転させ、加湿ローラー２５３の回転速度を、搬送ローラー２０３ａの回転速度よりも速く設定してもよい。すなわち、加湿ローラー２５３の回転速度を、搬送ローラー２０３ａの回転速度よりも速くすることで、加湿ローラー２５３と搬送ローラー２０３ａとが用紙Ｓを引っ張りすぎない状態となる。これにより、制御部２０１は、用紙Ｓが搬送ローラー２０３ａによって引っ張られる際に、加湿ローラー２５３と搬送ローラー２０３ａとの引っ張り合いによって破断することなく、用紙Ｓを加湿ローラー２５３から引き剥がしつつ上流に搬送することができる。また、制御部２０１は、用紙Ｓを上流側に搬送する際に、用紙Ｓが撓んで加湿ローラー２５３に再度巻き付かないように、加湿ローラー２５３と搬送ローラー２０３ａとの回転速度差を設定すればよい。これにより、用紙Ｓを破断させずに、かつ、加湿ローラー２５３に対する用紙Ｓの巻き付きを解消することができる。
【００７８】
また、制御部２０１は、加湿ローラー２５３の回転開始タイミングを、搬送ローラー２０３ａの回転開始タイミングよりも早く設定してもよい。なお、この際、加湿ローラー２５３及び搬送ローラー２０３ａの回転速度は同一である。すなわち、加湿ローラー２５３の回転開始タイミングを搬送ローラー２０３ａの回転開始タイミングよりも早くすることで、加湿ローラー２５３と搬送ローラー２０３ａとが用紙Ｓを引っ張りすぎない状態となる。これにより、制御部２０１は、用紙Ｓが搬送ローラー２０３ａによって引っ張られる際に、加湿ローラー２５３と搬送ローラー２０３ａとの引っ張り合いによって破断することなく、用紙Ｓを加湿ローラー２５３から引き剥がしつつ上流に搬送することができる。また、制御部２０１は、用紙Ｓを上流側に搬送する際に、用紙Ｓが撓んで加湿ローラー２５３に再度巻き付かないように、加湿ローラー２５３と搬送ローラー２０３ａとの回転開始タイミング差を設定すればよい。これにより、用紙Ｓを破断させずに、かつ、加湿ローラー２５３に対する用紙Ｓの巻き付きを解消することができる。
【００７９】
なお、制御部２０１は、巻き付き検出部２５２で検出された巻き付き量に相当する分だけ加湿ローラー２５３及び搬送ローラー２０３ａを逆転させる場合に限定されず、巻き付き検出部２５２において都度検出される巻き付き量がゼロ（又は所定の閾値未満）になるまで加湿ローラー２５３及び搬送ローラー２０３ａを逆転させてもよい。
【００８０】
また、上記処理によって、図６に示すように、加湿ローラー２５３に対する用紙Ｓの巻き付きが解消した時点で、用紙Ｓは、加湿ローラー２５３に巻き付くほどには撓まず、かつ、加湿ローラー２５３と搬送ローラー２０３ａとによって破断させられるほどには引っ張られすぎない状態である。そこで、上記処理の後（つまり、少なくとも巻き付き量分の用紙搬送後）、制御部２０１は、加湿ローラー２５３及び搬送ローラー２０３ａを等速で回転させて、用紙Ｓを上流側に搬送させてもよい。これにより、用紙Ｓは、加湿ローラー２５３に巻き付くほどには撓まず、かつ、加湿ローラー２５３と搬送ローラー２０３ａとによって破断させられるほどには引っ張られすぎない状態を維持して搬送される。
【００８１】
このように、加湿ローラー２５３に巻き付いている用紙Ｓの先端部分は、加湿ローラー２５３及び搬送ローラー２０３ａの逆転によって、加湿ローラー２５３から引き剥がされつつ、上流側へ搬送されていく。この際、制御部２０１は、加湿ローラー２５３と搬送ローラー２０３ａとによって用紙Ｓが引っ張られすぎないように、加湿ローラー２５３及び搬送ローラー２０３ａを回転させる制御を行うことで、上流側へ用紙Ｓが搬送される際に、加湿され腰が弱くなっている用紙Ｓが加湿ローラー２５３と搬送ローラー２０３ａとの引っ張り合いによって破断してしまうことを防止することができる。また、制御部２０１は、用紙Ｓが過度に撓まないように、加湿ローラー２５３及び搬送ローラー２０３ａを回転させる制御を行うことで、上流側へ用紙Ｓが搬送される際に、撓みによって用紙Ｓが加湿ローラー２５３へ再度巻き付いてしまうことを防止することができる。
【００８２】
＜ケース２＞
図７は、ケース２において加湿ローラー２５３にて発生するジャムの様子を示す図である。図７に示すように、ケース１では、用紙Ｓの中間部分が加湿ローラー２５３に巻き付いている。また、図７では、センサー２５４ｂにおいて用紙Ｓの通過が検知されている。
【００８３】
ケース２において発生するジャムに対して、図８Ａ〜図８Ｃに示すジャム処理では、用紙Ｓを破断させてしまう恐れがある。
【００８４】
具体的には、図８Ａは、加湿ローラー２５３を正転させ、用紙Ｓを下流側に搬送するジャム処理を示す。しかし、図８Ａに示すジャム処理が行われても、加湿ローラー２５３に巻き付いている用紙Ｓの中間部分が加湿ローラー２５３に貼り付いたまま剥がれない。更に、加湿ローラー２５３の正転によって用紙Ｓの後続する後端側も加湿ローラー２５３に巻き付いてしまう。また、図８Ａに示すように、加湿ローラー２５３の加湿ニップを通過した用紙Ｓは腰が弱くなっているため、加湿ローラー２５３の正転によって、用紙Ｓの先端部分と加湿ローラー２５３に巻き付いている部分との間で用紙Ｓが破断してしまう恐れがある。
【００８５】
次に、図８Ｂは、加湿ローラー２５３を逆転させ、用紙Ｓを上流側に搬送するジャム処理を示す。しかし、図８Ｂに示すジャム処理が行われても、加湿ローラー２５３に巻き付いている用紙Ｓの中間部分が加湿ローラー２５３に貼り付いたまま剥がれず、そのまま逆方向（上流方向）への巻き付きが発生してしまう。また、図８Ｂに示すように、用紙Ｓにおいて加湿ローラー２５３に巻き付いている部分は腰が弱くなっているため、加湿ローラー２５３の逆転によって、加湿ローラー２５３を通過している用紙Ｓの先端部分と加湿ローラー２５３に巻き付いている部分との間、および、加湿ローラー２５３に巻き付いている部分と、加湿ローラー２５３を未だ通過していない部分との間（加湿ローラー２５３の上流側）の少なくとも一方において用紙Ｓが破断してしまう恐れがある。
【００８６】
次に、図８Ｃは、搬送ローラー２０３ｂ（下流ローラー）を正転させ、用紙Ｓを下流側に搬送するジャム処理を示す。しかし、加湿ローラー２５３に巻き付いている用紙Ｓの中間部分は、滑りにくくかつ腰が弱くなっているため、図８Ｃに示すジャム処理において、搬送ローラー２０３ｂの正転によって加湿ローラー２５３に巻き付いている用紙Ｓの中間部分を引き剥がそうとすると用紙Ｓが破断してしまう恐れがある。
【００８７】
このように、図８Ａ〜図８Ｃに示すジャム処理では、加湿ローラー２５３に巻き付いている用紙Ｓを破断させずに排紙することは困難である。
【００８８】
そこで、本実施の形態では、ケース２（図７を参照）において、制御部２０１は、例えば、図９及び図１０Ａ〜図１０Ｃに示すジャム処理を行う。
【００８９】
具体的には、巻き付き検出部２５２は、図７に示すような用紙Ｓの巻き付き（加湿ローラー２５３でのジャム）を検知する。また、巻き付き検出部２５２は、加湿ローラー２５３への用紙Ｓの巻き付き量を検出する。
【００９０】
そして、制御部２０１は、巻き付き検出部２５２において検出された加湿ローラー２５３への用紙Ｓの巻き付き量に基づいて、ケース１と同様にして、搬送ローラー２０３ｂと加湿ローラー２５３とによる用紙Ｓの引っ張り合いによって用紙Ｓが破断せずに、かつ、加湿ローラー２５３に対する用紙Ｓの巻き付きが解消するように、加湿ローラー２５３及び搬送ローラー２０３ｂを回転させる制御を行う。
【００９１】
具体的には、図９に示すように、用紙Ｓの先端部分が搬送ローラー２０３ｂを通過しているので、制御部２０１は、加湿ローラー２５３及び搬送ローラー２０３ａをそれぞれ正転させることにより、用紙Ｓを下流側に搬送させる。
【００９２】
ただし、用紙Ｓを下流側に搬送する前に、制御部２０１は、まず、巻き付き検出部２５２で検出された巻き付き量に基づいて、加湿ローラー２５３の回転方向を決定する。
【００９３】
例えば、図１０Ａに示すように、ジャム処理開始時における巻き付き量が大きい状態で用紙Ｓがそのまま下流方向に搬送されると、巻き付いている用紙Ｓは、加湿ローラー２５３から剥がれにくく負荷がかかりやすいので、破断してしまう可能性が高くなる。そこで、制御部２０１は、巻き付き量が大きい場合（例えば、巻き付き量が閾値以上の場合）、図１０Ａに示すように、加湿ローラー２５３の下流側（例えば、加湿ニップよりも下流側）への用紙Ｓの巻き付き量が小さくなるまで、加湿ローラー２５３を逆転させる。例えば、制御部２０１は、巻き付き検出部２５２において検出される巻き付き量が少なくとも上記閾値未満になるまで加湿ローラー２５３を逆転させてもよい。
【００９４】
そして、制御部２０１は、例えば、図１０Ｂに示すように、加湿ローラー２５３（下流側）に対する巻き付き量が小さい状態（例えば、巻き付き量が閾値未満の場合）において、図９と同様、加湿ローラー２５３及び搬送ローラー２０３ｂを正転させて、用紙Ｓを下流方向に搬送させる。
【００９５】
一方、図１０Ｃに示すように、ジャム処理開始時における巻き付き量が小さい場合（例えば、巻き付き量が閾値未満の場合）には、制御部２０１は、加湿ローラー２５３を逆転させる処理（例えば、図１０Ａの処理）を行わずに、加湿ローラー２５３及び搬送ローラー２０３ｂを正転させて、用紙Ｓを下流方向に搬送させる。
【００９６】
このように、制御部２０１は、巻き付き量に基づいて、用紙Ｓを下流方向へ搬送させる前に、用紙Ｓを上流側に戻すか否か（つまり、巻き付き量を低減させるか否か）を決定する。これにより、用紙Ｓを下流方向へ搬送するジャム処理において、巻き付いている用紙Ｓが加湿ローラー２５３から剥がれやすくなり、用紙Ｓにかかる負荷を低減できるので、用紙Ｓが破断してしまう可能性を低減することができる。
【００９７】
次に、図９に示すように、制御部２０１は、例えば、少なくとも、巻き付き検出部２５２で検出された巻き付き量に相当する距離（つまり、巻き付きを解消する分）だけ用紙Ｓを下流側へ搬送するように、加湿ローラー２５３及び搬送ローラー２０３ｂを正転させる。
【００９８】
この際、制御部２０１は、用紙Ｓを破断させず、かつ、巻き付きを解消させるために、例えば、ケース１と同様にして、加湿ローラー２５３と搬送ローラー２０３ｂとの間で回転速度差、又は、回転を開始する時間差（タイミング差）を付けてもよい。
【００９９】
具体的には、制御部２０１は、加湿ローラー２５３及び搬送ローラー２０３ａを同じタイミングで正転させ、加湿ローラー２５３の回転速度を、搬送ローラー２０３ｂの回転速度よりも速く設定してもよい。すなわち、加湿ローラー２５３の回転速度を、搬送ローラー２０３ｂの回転速度よりも早くすることで、加湿ローラー２５３と搬送ローラー２０３ｂとが用紙Ｓを引っ張りすぎない状態となる。これにより、制御部２０１は、用紙Ｓが搬送ローラー２０３ｂによって引っ張られる際に、加湿ローラー２５３と搬送ローラー２０３ｂとの引っ張り合いによって破断することなく、用紙Ｓを加湿ローラー２５３から引き剥がしつつ下流に搬送することができる。また、制御部２０１は、用紙Ｓを下流に搬送する際に、用紙Ｓが撓んで加湿ローラー２５３に再度巻き付かないように、加湿ローラー２５３と搬送ローラー２０３ｂとの回転速度差を設定すればよい。これにより、用紙Ｓを破断させずに、かつ、加湿ローラー２５３に対する用紙Ｓの巻き付きを解消することができる。
【０１００】
また、制御部２０１は、加湿ローラー２５３の回転開始タイミングを、搬送ローラー２０３ｂの回転開始タイミングよりも早く設定してもよい。なお、この際、加湿ローラー２５３及び搬送ローラー２０３ｂの回転速度は同一である。すなわち、加湿ローラー２５３の回転開始タイミングを搬送ローラー２０３ｂの回転開始タイミングよりも早くすることで、加湿ローラー２５３と搬送ローラー２０３ｂとが用紙Ｓを引っ張りすぎない状態となる。これにより、制御部２０１は、用紙Ｓが搬送ローラー２０３ｂによって引っ張られる際に、加湿ローラー２５３と搬送ローラー２０３ｂとの引っ張り合いによって破断することなく、用紙Ｓを加湿ローラー２５３から引き剥がしつつ下流に搬送することができる。また、制御部２０１は、用紙Ｓを下流側に搬送する際に、用紙Ｓが撓んで加湿ローラー２５３に再度巻き付かないように、加湿ローラー２５３と搬送ローラー２０３ｂとの回転開始タイミング差を設定すればよい。これにより、用紙Ｓを破断させずに、かつ、加湿ローラー２５３に対する用紙Ｓの巻き付きを解消することができる。
【０１０１】
なお、制御部２０１は、巻き付き検出部２５２で検出された巻き付き量に相当する分だけ加湿ローラー２５３及び搬送ローラー２０３ｂを正転させる場合に限定されず、巻き付き検出部２５２において都度検出される巻き付き量がゼロ（又は所定の閾値未満）になるまで加湿ローラー２５３及び搬送ローラー２０３ｂを正転させてもよい。
【０１０２】
また、上記処理によって、図９に示すように、加湿ローラー２５３に対する用紙Ｓの巻き付きが解消した時点で、用紙Ｓは、加湿ローラー２５３に巻き付くほどには撓まず、かつ、加湿ローラー２５３と搬送ローラー２０３ｂとによって破断させられるほどには引っ張られすぎない状態である。そこで、上記処理の後（つまり、少なくとも巻き付き量分の用紙搬送後）、制御部２０１は、加湿ローラー２５３及び搬送ローラー２０３ｂを等速で回転させて、用紙Ｓを下流側に搬送させてもよい。これにより、用紙Ｓは、加湿ローラー２５３に巻き付くほどには撓まず、かつ、加湿ローラー２５３と搬送ローラー２０３ｂとによって破断させられるほどには引っ張られすぎない状態を維持して搬送される。
【０１０３】
このように、加湿ローラー２５３に巻き付いている用紙Ｓの中間部分は、加湿ローラー２５３及び搬送ローラー２０３ｂの正転によって、加湿ローラー２５３から引き剥がされつつ、下流側へ搬送されていく。この際、制御部２０１は、加湿ローラー２５３と搬送ローラー２０３ｂとによって用紙Ｓが引っ張られすぎないように、加湿ローラー２５３及び搬送ローラー２０３ｂを回転させる制御を行うことで、下流側へ用紙Ｓが搬送される際に、加湿され腰が弱くなっている用紙Ｓが加湿ローラー２５３と搬送ローラー２０３ｂとの引っ張り合いによって破断してしまうことを防止することができる。また、制御部２０１は、用紙Ｓが過度に撓まないように、加湿ローラー２５３及び搬送ローラー２０３ｂを回転させる制御を行うことで、下流側へ用紙Ｓが搬送される際に、撓みによって用紙Ｓが加湿ローラー２５３へ再度巻き付いてしまうことを防止することができる。
【０１０４】
なお、図９では、用紙Ｓの中間部分が加湿ローラー２５３に巻き付く場合について説明したが、本発明はこれに限定されない。ケース２では、制御部２０１は、センサー２５４ｂにおいて用紙Ｓの通過が検知された場合に同様のジャム処理を行ってもよい。例えば、用紙Ｓの後端部分が加湿ローラー２５３に巻き付く場合（図示せず）も図９と同様のジャム処理が適用可能である。
【０１０５】
次に、加湿部２０５におけるジャム処理の動作例について説明する。図１１は、画像形成システム１００における加湿部２０５に対するジャム処理の動作例の一例を示すフローチャートである。図１１における処理は、例えば、ジャム検出部２０４において後処理装置２内のジャム発生を検出したときに実行される。
【０１０６】
図１１に示すように、制御部２０１は、例えば、巻き付き検出部２５２における検出結果（つまり、加湿ローラー２５３への用紙Ｓの巻き付き発生の有無）に基づいて、発生したジャムが加湿部２０５において発生したジャムであるか否かを判断する（ＳＴ１０１）。発生したジャムが加湿部２０５において発生したジャムではない場合（ＳＴ１０１：ＮＯ）、制御部２０１は、図１１に示す処理を終了する。
【０１０７】
一方、発生したジャムが加湿部２０５において発生したジャムである場合（ＳＴ１０１：ＹＥＳ）、巻き付き検出部２５２は、加湿ローラー２５３への用紙Ｓの巻き付き量を検出する（ＳＴ１０２）。
【０１０８】
次に、制御部２０１は、搬送ローラー２０３ｂ（下流ローラー）に用紙Ｓ（ジャム紙）が搬送されているか否かを判断する（ＳＴ１０３）。例えば、制御部２０１は、センサー２５４ｂの検知結果に基づいて、用紙Ｓが搬送ローラー２０３ｂを通過しているか否かを判断してもよい。すなわち、制御部２０１は、ＳＴ１０３において、図４に示すように用紙Ｓの先端部分が加湿ローラー２５３に巻き付くジャムが発生したか、図７に示すように用紙Ｓの中間部分（又は後端部分）が加湿ローラー２５３に巻き付くジャムが発生したか、を判断する。
【０１０９】
搬送ローラー２０３ｂにジャム紙が搬送されていない場合（ＳＴ１０３：ＮＯ）、制御部２０１は、図６に示すジャム処理（後述するＳＴ１０４〜ＳＴ１０７の処理）を行う。一方、搬送ローラー２０３ｂにジャム紙が搬送されている場合（ＳＴ１０３：ＹＥＳ）、制御部２０１は、図９、図１０Ａ〜図１０Ｃに示すジャム処理（後述するＳＴ１０８〜ＳＴ１１３の処理）を行う。
【０１１０】
すなわち、制御部２０１は、用紙Ｓの先端部分が搬送ローラー２０３ｂを通過していない場合、加湿ローラー２５３及び搬送ローラー２０３ａ（上流ローラー）を逆転させることにより、用紙Ｓを上流側に搬送させるジャム処理を行う。一方、制御部２０１は、用紙Ｓの先端部分が搬送ローラー２０３ｂを通過している場合、加湿ローラー２５３及び搬送ローラー２０３ｂを正転させることにより、用紙Ｓを下流側に搬送させるジャム処理を行う。これにより、制御部２０１は、加湿部２０５において発生したジャムの状態に応じたジャム処理を行うことができる。
【０１１１】
まず、ＳＴ１０４〜ＳＴ１０７の処理について説明する。
【０１１２】
制御部２０１は、用紙Ｓ（ジャム紙）が破断しないように（引っ張られすぎないように）、かつ、用紙Ｓが加湿ローラー２５３に再度巻き付かないような（撓みすぎないような）状態（例えば、引っ張り合い手前の状態）になるように、加湿ローラー２５３（及び搬送ローラー２０３ａ）を逆転させる（ＳＴ１０４）。上述したように、制御部２０１は、用紙Ｓが上記状態になるように、搬送ローラー２０３ａを回転させずに、加湿ローラー２５３を逆転させてもよい（回転開始タイミング差を付ける方法）。または、制御部２０１は、用紙Ｓが上記状態になるように、加湿ローラー２５３の逆転速度を、搬送ローラー２０３ａの逆転速度よりも早く設定してもよい（回転速度差を付ける方法）。
【０１１３】
制御部２０１は、用紙Ｓが上記状態になるまで（ＳＴ１０５：ＮＯの間）、ＳＴ１０４の処理を繰り返す。
【０１１４】
そして、制御部２０１は、用紙Ｓが上記状態になると（ＳＴ１０５：ＹＥＳ）、加湿ローラー２５３及び搬送ローラー２０３ａを、等速でそれぞれ逆転させる（ＳＴ１０６）。
【０１１５】
このように、ＳＴ１０４及びＳＴ１０６における加湿ローラー２５３及び搬送ローラー２０３ａの逆転によって、用紙Ｓは、破断することなく、加湿ローラー２５３への巻き付きを解消して上流側へ搬送されていく。
【０１１６】
制御部２０１は、例えば、巻き付き検出部２５２における検知結果に基づいて、加湿ローラー２５３に用紙Ｓが存在する間（ＳＴ１０７：ＹＥＳの間）、ＳＴ１０６の処理を繰り返す。一方、制御部２０１は、加湿ローラー２５３に用紙Ｓが存在しなくなった場合（ＳＴ１０７：ＮＯ）、ジャム処理を終了する。すなわち、制御部２０１は、少なくとも、用紙Ｓの全体が加湿ローラー２５３を抜けるまで、ＳＴ１０６において加湿ローラー２５３及び搬送ローラー２０３ａを逆転させればよい。
【０１１７】
次に、ＳＴ１０８〜ＳＴ１１３の処理について説明する。
【０１１８】
制御部２０１は、ＳＴ１０２で検出された用紙Ｓの巻き付き量が大きいか否か（例えば、巻き付き量が閾値以上であるか否か）を判断する（ＳＴ１０８）。用紙Ｓの巻き付き量が大きい場合（ＳＴ１０８：ＹＥＳ）、制御部２０１は、用紙Ｓの巻き付き量が小さくなるまで（ＳＴ１０８：ＮＯ）、加湿ローラー２５３を逆転させる（ＳＴ１０９。例えば、図１０Ａ及び図１０Ｂを参照）。
【０１１９】
次に、制御部２０１は、用紙Ｓ（ジャム紙）が破断しないように（引っ張られすぎないように）、かつ、用紙Ｓが加湿ローラー２５３に再度巻き付かないような（撓みすぎないような）状態（例えば、引っ張り合い手前の状態）になるように、加湿ローラー２５３、搬送ローラー２０３ｂを正転させる（ＳＴ１１０）。上述したように、制御部２０１は、用紙Ｓが上記状態になるように、搬送ローラー２０３ｂを回転させずに、加湿ローラー２５３を正転させてもよい（回転開始タイミング差を付ける方法）。または、制御部２０１は、用紙Ｓが上記状態になるように、加湿ローラー２５３の正転速度を、搬送ローラー２０３ｂの正転速度よりも早く設定してもよい（回転速度差を付ける方法）。
【０１２０】
制御部２０１は、用紙Ｓが上記状態になるまで（ＳＴ１１１：ＮＯの間）、ＳＴ１１０の処理を繰り返す。
【０１２１】
そして、制御部２０１は、用紙Ｓが上記状態になると（ＳＴ１１１：ＹＥＳ）、加湿ローラー２５３及び搬送ローラー２０３ｂ（下流ローラー）を、等速でそれぞれ正転させる（ＳＴ１１２）。
【０１２２】
このように、ＳＴ１１０及びＳＴ１１２における加湿ローラー２５３及び搬送ローラー２０３ｂの正転によって、用紙Ｓは、破断することなく、加湿ローラー２５３への巻き付きを解消して下流側へ搬送されていく。
【０１２３】
制御部２０１は、例えば、巻き付き検出部２５２における検知結果に基づいて、加湿ローラー２５３に用紙Ｓが存在する間（ＳＴ１１３：ＹＥＳの間）、ＳＴ１１２の処理を繰り返す。一方、制御部２０１は、加湿ローラー２５３に用紙Ｓが存在しなくなった場合（ＳＴ１１３：ＮＯ）、ジャム処理を終了する。すなわち、制御部２０１は、少なくとも、用紙Ｓの全体が加湿ローラー２５３を抜けるまで、ＳＴ１１２において加湿ローラー２５３及び搬送ローラー２０３ｂを正転させればよい。
【０１２４】
以上、画像形成システム１００における加湿部２０５に対するジャム処理の動作例について説明した。
【０１２５】
以上のように構成された本実施の形態では、加湿ローラー２５３に用紙Ｓが巻き付くジャムが発生した場合でも、制御部２０１は、加湿ローラー２５３の上流又は下流に配置された搬送ローラー２０３ａ，２０３ｂと加湿ローラー２５３とによる用紙Ｓの引っ張り合いによって用紙Ｓが破断せず、かつ、加湿ローラー２５３に対する用紙Ｓの巻き付きが解消するように、加湿ローラー２５３及び搬送ローラー２０３ａ、２０３ｂを回転させる制御を行う。これにより、本実施の形態によれば、加湿ローラー２５３において用紙Ｓが巻き付くジャムが発生した場合でも用紙Ｓを破断させることなくジャムを解消できる。
【０１２６】
以上、一実施の形態について説明した。
【０１２７】
なお、上記実施の形態において、制御部２０１は、加湿部２０５においてジャムを検出した場合に、用紙Ｓの種類に基づいて、上述した加湿ローラー２５３に対する用紙Ｓの巻き付きを解消するジャム処理を行うか否かを判断してもよい。例えば、制御部２０１は、用紙Ｓが剛度の低い紙種の場合に上記ジャム処理を行い、用紙Ｓが剛度の高い紙種の場合に上記ジャム処理を行わなくてもよい。これは、剛度の高い用紙Ｓは、加湿部２０５において加湿されても撓みにくく、加湿ローラー２５３に巻き付くジャムの発生する可能性が低いためである。また、剛度の高い用紙Ｓは、加湿部２０５において加湿された状態で、搬送ローラー２０３ａ、２０３ｂに引っ張られても破断する可能性が低いためである。
【０１２８】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【０１２９】
また、上記実施の形態では、図３及び図４等に示す加湿部２０５の構成を備える後処理装置２を含む画像形成システム１００について説明したが、本発明はこれに限定されない。例えば、画像形成装置１が図３に示す加湿装置の構成を備えてもよい。また、図３では、後処理装置（本発明の加湿装置）に制御部２０１を備える場合について説明したが、本発明はこれに限定されない。例えば、制御部２０１の代わりに、画像形成装置１の制御部１０１（図２を参照）が、上述した制御を行ってもよい。
【０１３０】
本発明は、画像形成装置を含む複数のユニットで構成される画像形成システムに適用できる。複数のユニットには、例えば後処理装置、ネットワーク接続された制御装置等の外部装置が含まれる。
【符号の説明】
【０１３１】
１  画像形成装置
２  後処理装置
１００  画像形成システム
２０１  制御部
２０２  搬送ローラー駆動部
２０３ａ，２０３ｂ  搬送ローラー
２０４  ジャム検出部
２０５  加湿部
２５１  加湿ローラー駆動部
２５２  巻き付き検出部
２５３  加湿ローラー
２５４ａ，２５４ｂ  センサー
【図１】
2019099289.tif 000003
【図２】
2019099289.tif 000004
【図３】
2019099289.tif 000005
【図４】
2019099289.tif 000006
【図５Ａ】
2019099289.tif 000007
【図５Ｂ】
2019099289.tif 000008
【図５Ｃ】
2019099289.tif 000009
【図６】
2019099289.tif 000010
【図７】
2019099289.tif 000011
【図８Ａ】
2019099289.tif 000012
【図８Ｂ】
2019099289.tif 000013
【図８Ｃ】
2019099289.tif 000014
【図９】
2019099289.tif 000015
【図１０Ａ】
2019099289.tif 000016
【図１０Ｂ】
2019099289.tif 000017
【図１０Ｃ】
2019099289.tif 000018
【図１１】
2019099289.tif 000019